(57)【特許請求の範囲】
【請求項１】
バッテリを電源として動作する携帯装置の音声入力装置において、
前記バッテリからの給電が省電力状態であるスリープ状態とスリープ状態が解除される給電状態とを有し音声信号の送信、受信を行う無線部品と、
音声を入力するマイクロフォンと前記無線部品の間に位置し入力した音声データを一時保存する音声データ蓄積装置と、
前記マイクロフォンから直接前記無線部品に音声データの流れを形成し、さらに、前記マイクロフォンから前記音声データ蓄積装置を経由して前記無線部品に音声データの流れを形成するスイッチと、
前記マイクロフォンから前記無線部品への音声入力に一定時間の無音状態の有無を検出する無音状態検出部と、
前記無音状態検出部により一定時間の無音状態が検出された場合、前記無線部品を省電力状態のスリープ状態に遷移させる無線部品のスリープ状態遷移部と、
前記無音状態検出部により一定時間の無音状態が検出された場合、前記スイッチを切り替えて前記マイクロフォンから前記音声データ蓄積装置を経由して前記無線部品に音声データの流れを形成させる第１のスイッチ切替部と、
前記音声データ蓄積装置に一時保存された音声データに対して前記無線部品をスリープ状態から給電状態にする遷移時間分の音声データを圧縮し、前記無線部品に出力する音声データ圧縮・出力部と、
前記マイクロフォンから前記音声データ蓄積部への音声入力を検出し、音声入力検出後前記遷移時間経過後に前記音声データ圧縮・出力部から圧縮された音声データを前記無線部品に出力させる音声入力検出部と、
前記音声入力検出部により、前記マイクロフォンからの音声入力を検出した場合、前記無線部品をスリープ状態から給電状態にさせる無線部品の給電状態遷移部と、
前記音声データ圧縮・出力部から圧縮された音声データが前記無線部品に出力された後に前記スイッチを切り替えて、前記マイクロフォンから直接前記無線部品に音声データの流れを形成させる第２のスイッチ切替部とを備えることを特徴とする音声入力装置。
【請求項２】
前記音声データ圧縮・出力部は、前記音声データ蓄積装置に一時保存された音声データの間引きにより、前記遷移時間分の音声データを圧縮することを特徴とする、請求項１に記載の音声入力装置。
【請求項３】
前記音声データ圧縮・出力部は、前記音声データ蓄積装置に一時保存された音声データの処理速度を早め、前記遷移時間分の音声データを圧縮することを特徴とする、請求項１に記載の音声入力装置。
【請求項４】
前記音声データ蓄積装置では前記遷移時間分の音声データを一時保存し、ファストインファストアウトで前記無線部品に出力する音声データに対して、前記音声データ圧縮・出力部により圧縮されることを特徴とする、請求項１に記載の音声入力装置。
【請求項５】
バッテリを電源として動作する携帯装置の音声入力装置において、
前記バッテリからの給電が省電力状態であるスリープ状態とスリープ状態が解除される給電状態とを有し音声信号の送信、受信を行う無線部品と、
音声を入力するマイクロフォンと前記無線部品の間に位置し入力した音声データに対して前記無線部品をスリープ状態から給電状態にする遷移時間分の音声データを一時保存し、ファストインファストアウトで前記無線部品に音声データを出力する音声データ蓄積装置と、
前記音声データ蓄積装置から前記無線部品への音声入力に一定時間の無音状態の有無を検出する無音状態検出部と、
前記無音状態検出部により一定時間の無音状態が検出された場合、前記無線部品を省電力状態のスリープ状態に遷移させる無線部品のスリープ状態遷移部と、
前記マイクロフォンから前記音声データ蓄積部への音声入力を検出する音声入力検出部と、
前記音声入力検出部により、前記マイクロフォンからの音声入力を検出した場合、前記無線部品をスリープ状態から給電状態にさせる無線部品の給電状態遷移部とを備えることを特徴とする音声入力装置。
【請求項６】
バッテリを電源として送信、受信を行う携帯装置の音声入力方法において、
前記バッテリから給電が省電力状態であるスリープ状態とスリープ状態が解除される給電状態とを有し送信、受信を行うための無線部品に対して、マイクロフォンからの音声入力に一定時間の無音状態の有無を検出する工程と、
一定時間の無音状態が検出された場合、前記無線部品を省電力状態のスリープ状態に遷移させる工程と、
一定時間の無音状態が検出された場合、前記マイクロフォンから音声データ蓄積装置を経由して前記無線部品に音声データの流れを形成させる工程と、
前記マイクロフォンから前記音声データ蓄積部への音声入力を検出する工程と、
前記マイクロフォンからの音声入力を検出した場合、前記無線部品をスリープ状態から給電状態にさせる工程と、
前記マイクロフォンから入力した音声データを前記音声データ蓄積装置に一時保存する工程と、
前記音声データ蓄積装置に一時保存された音声データに対して前記無線部品をスリープ状態から給電状態にする遷移時間分だけ音声データを圧縮し、前記無線部品に出力する工程と、
圧縮された音声データが前記無線部品に出力された後に前記マイクロフォンから直接前記無線部品に音声データの流れを形成させる工程とを備えることを特徴とする音声入力方法。
【請求項７】
バッテリを電源として動作する携帯装置の音声入力をコンピュータで実行するプログラムにおいて、
前記バッテリから給電が省電力状態であるスリープ状態とスリープ状態が解除される給電状態とを有し送信、受信を行うための無線部品に対して、マイクロフォンからの音声入力に一定時間の無音状態の有無を検出する手順と、
一定時間の無音状態が検出された場合、前記無線部品を省電力状態のスリープ状態に遷移させる手順と、
一定時間の無音状態が検出された場合、前記マイクロフォンから音声データ蓄積装置を経由して前記無線部品に音声データの流れを形成させる手順と、
前記マイクロフォンから前記音声データ蓄積部への音声入力を検出する手順と、
前記マイクロフォンからの音声入力を検出した場合、前記無線部品をスリープ状態から給電状態にさせる手順と、
前記マイクロフォンから入力した音声データを前記音声データ蓄積装置に一時保存する手順と、
前記音声データ蓄積装置に一時保存された音声データに対して前記無線部品をスリープ状態から給電状態にする遷移時間分だけ音声データを圧縮し、前記無線部品に出力する手順と、
圧縮された音声データが前記無線部品に出力された後に前記マイクロフォンから直接前記無線部品に音声データの流れを形成させる手順とを備えることを特徴とする音声入力をコンピュータで実行するプログラム。
【請求項８】
バッテリを電源として動作する無線通信装置において、
音声を入力するマイクロフォンと、
前記バッテリからの給電が省電力状態であるスリープ状態とスリープ状態が解除される給電状態とを有し音声信号の送信、受信を行う無線部品と、
前記マイクロフォンと前記無線部品の間に位置し入力した音声データを一時保存する音声データ蓄積装置と、
前記マイクロフォンから直接前記無線部品に音声データの流れを形成し、さらに、前記マイクロフォンから前記音声データ蓄積装置を経由して前記無線部品に音声データの流れを形成するスイッチと、
前記マイクロフォンから前記無線部品への音声入力に一定時間の無音状態の有無を検出する無音状態検出部と、
前記無音状態検出部により一定時間の無音状態が検出された場合、前記無線部品を省電力状態のスリープ状態に遷移させる無線部品のスリープ状態遷移部と、
前記無音状態検出部により一定時間の無音状態が検出された場合、前記スイッチを切り替えて前記マイクロフォンから前記音声データ蓄積装置を経由して前記無線部品に音声データの流れを形成させる第１のスイッチ切替部と、
前記音声データ蓄積装置に一時保存された音声データに対して前記無線部品をスリープ状態から給電状態にする遷移時間分の音声データを圧縮し、前記無線部品に出力する音声データ圧縮・出力部と、
前記マイクロフォンから前記音声データ蓄積部への音声入力を検出し、音声入力検出後前記遷移時間経過後に前記音声データ圧縮・出力部から圧縮された音声データを前記無線部品に出力させる音声入力検出部と、
前記音声入力検出部により、前記マイクロフォンからの音声入力を検出した場合、前記無線部品をスリープ状態から給電状態にさせる無線部品の給電状態遷移部と、
前記音声データ圧縮・出力部から圧縮された音声データが前記無線部品に出力された後に前記スイッチを切り替えて、前記マイクロフォンから直接前記無線部品に音声データの流れを形成させる第２のスイッチ切替部とを備えることを特徴とする無線通信装置。
【発明の詳細な説明】
【技術分野】
【０００１】
本発明はバッテリを電源とし消費電力の低減を行う無線通信装置に関する。特に、本発明は、操作待ち受け状態であるスリープ状態の音声入力に対して入力音声の取りこぼしを防止する音声入力装置、方法、プログラム及び無線通信装置に関する。
【背景技術】
【０００２】
図８は本発明の前提となる無線通信装置の消費電力の低減を説明する図である。本発明の前提となる無線通信装置は携帯電話、無線装置を含み、バッテリを電源とし、本図（ａ）に示すように、無線通信装置では、音声入力に対して無線部品により音声の送信を行い、音声入力後無音状態が一定時間続くと、無線部品が操作待ち受け状態となり、音声入力があると無線部品の操作待ち受け状態が解除され、入力した音声の送信が無線部品により行われる。
【０００３】
本図（ｂ）に示すように、無線通信装置は、本図（ａ）の無音状態を含む音声入力状態では、無線部品を給電状態とし、操作待ち受け状態では無線部品を省電力状態であるスリープ状態とする。無線通信装置では、特に、無線部品の消費電力が大きいためである。
仮に、操作待ち受け状態でスリープ状態としない場合には、音声入力が無くても音声を送信するため無線通信装置の無線部品に対して一定量の給電が必要となる。
【０００４】
このため、無線通信端末では操作待ち受け状態をスリープ状態とする。これにより、無線通信装置の無線部品への給電量が最小となり、無線通信装置のバッテリが駆動できる時間を延長することが可能になる。
このように、無線通信装置では、容量が有限なバッテリを電源としているため、操作待ち受け状態で無線通信装置をスリープ状態とすることにより、利用者の操作待ち状態での消費電力を低減し、無線通信装置の駆動時間を延長するために重要となっている。
【０００５】
しかしながら、バッテリで動作する無線通信装置では、消費電力を削減し動作時間を延長するため、音声入力が発生していない場合には、無線通信装置の無線部品を省電力状態のスリープ状態にしていたが、この場合、本図（ｂ）に示すように、無線通信装置の無線部品が省電力状態のスリープ状態から給電状態に戻るまでに一定の遷移時間が必要で、本図（ｃ）に示すように、利用者が会話を中断した後、会話を再開した際、先頭の音声が入力できず、会話相手が言葉の先頭を聞けない状況が発生し、聞き返さなければならないという問題があった。
【０００６】
図９は会話相手が言葉の先頭を聞けない状況例を説明する図である。本図（ａ）に示すように、無線部品のスリープ状態で「こんにちは」との言葉に対して、本図(ｂ)に示すように、遷移時間に起因して、無線部品から会話相手には「んにちは」のように、先頭「こ」が聞けない状況が発生する。
すなわち、無線通信装置の無線部品の操作待ち受け状態であるスリープ状態から給電状態への遷移状態では、音声入力をトリガとするため、一定の遷移時間が必要となる。このため、無線通信装置への音声入力と同時に電波を発することができず、利用者が入力した音声のデータの先頭が送信されず、欠落し、取りこぼされるためである。
【０００７】
このような本発明の前提となる問題に関連し以下の従来技術がある。
従来、待ち受け機能のオン／オフを有効に制御して消費電力の低減を図り、かつ、その他の送信等の機能についても容易に利用できるようにするため、使用者の意志により、待ち受け機能をＯＮかＯＦＦかを選択することにより、音声通話、データ通信などの送受信を行うために常時消費されている電力を押さえ、携帯端末装置の低消費電力化を実現し、携帯端末装置の使用可能時間の延長を可能とし、また、携帯端末装置の受信以外の機能（送信、その他の機能）だけを常に使用可能な環境にし、また、電波の届く範囲で、インターネットを利用して取得したコンテンツ、たとえばゲームや情報サービスなどのサイトを、予め登録して、そのサイトの情報をメモリに蓄積することにより、待ち受け機能がＯＦＦの場合に、インターネットに接続するための電波を発信することなく、それらのページを参照できるようにするものもある（例えば、特許文献１参照）。
【０００８】
しかしながら、上記特許文献１では、携帯端末装置の待ち受け機能のオン／オフを制御するが、上記特許文献１は、前述のように、無線通信装置の無線部品の操作待ち受け状態であるスリープ状態から給電状態への遷移状態では、音声入力をトリガとするため、一定の遷移時間が必要となり、無線通信装置への音声入力と同時に電波を発することができず、利用者が入力した音声のデータの先頭が送信されず、欠落し、取りこぼされるのを防止するものではない。
【０００９】
また、従来、通話内容を録音・再生することができる録音・再生部を備えた移動電話機を提供するため、録音スイッチ、再生スイッチ、伝言スイッチ、拡声スピ−カ、通話中であるか或は待受中であるによって音声録音・再生ユニットに受信部で受信した内容を伝達するか或はマイクロホンから発信される信号を伝達するかを切り換える切り換えスイッチ、メモリおよびメモリが内設され、録音スイッチ、再生スイッチおよび伝言スイッチのオン・オフに基づいて、切り換えスイッチを介して入力される内容をメモリに記憶したり、メモリおよびメモリに記憶された内容を拡声スピ−カを介して再生したり、メモリに記憶された内容を送信部を介して送信したりする音声録音・再生ユニット等で構成された録音・再生部が送話端子及び受話端子を介して無線部に接続されている移動電話機もある（例えば、特許文献２参照）。
【００１０】
しかしながら、上記特許文献２では、移動電話機のメモリに記憶された内容を、送信部を介して、送信するが、上記特許文献２は、前述のように、無線通信装置の無線部品の操作待ち受け状態であるスリープ状態から給電状態への遷移状態では、音声入力をトリガとするため、一定の遷移時間が必要となり、無線通信装置への音声入力と同時に電波を発することができず、利用者が入力した音声のデータの先頭が送信されず、欠落し、取りこぼされるのを防止するものではない。
【００１１】
また、従来、本発明はプッシュ型の情報配信と似たサービスをユーザに提供する場合にクライアントの電力消費を抑制することが可能な情報配信用無線端末装置を提供することを目的とし、基地局との間で無線通信が可能な情報配信用無線端末装置において、情報配信元のアドレス情報を保持する手段と、通常状態と省電力状態との切替を行う手段と、予め定められた起動条件に従って省電力状態から通常状態への遷移を自動的に行う手段と、省電力状態から通常状態へ遷移した場合に基地局との間の無線回線の確立の有無を識別する手段と、通常状態で無線回線が確立した場合に、前記アドレス情報を用いて特定の情報配信元に自動的にアクセスし情報を取得する手段と、情報を取得した後で通常状態から省電力状態への遷移を自動的に行う手段とを設けたものもある（例えば、特許文献３参照）。
【００１２】
しかしながら、上記特許文献３では、情報配信用無線端末装置の省電力状態から通常状態への遷移を自動的に行うが、上記特許文献３は、前述のように、無線通信装置の無線部品の操作待ち受け状態であるスリープ状態から給電状態への遷移状態では、音声入力をトリガとするため、一定の遷移時間が必要となり、無線通信装置への音声入力と同時に電波を発することができず、利用者が入力した音声のデータの先頭が送信されず、欠落し、取りこぼされるのを防止するものではない。
【００１３】
【特許文献１】特開２００２−１６４８３５号公報
【特許文献２】特開平７−２０３０８２号公報
【特許文献３】特開２００３−１６９０１５号公報
【発明の開示】
【発明が解決しようとする課題】
【００１４】
したがって、本発明は上記問題点に鑑みて、無線通信装置の無線部品では操作待ち受け状態であるスリープ状態から給電状態への遷移状態では、音声入力をトリガとするため、一定の遷移時間が必要となり、無線通信装置への音声入力と同時に電波を発することができず、利用者が入力した音声のデータの先頭が送信されず、欠落し、取りこぼされるのを防止する音声入力装置、方法、プログラム及び無線通信装置を提供することを目的とする。
【課題を解決するための手段】
【００１５】
本発明は前記問題点を解決するために、バッテリを電源として動作する携帯装置の音声入力装置において、前記バッテリからの給電が省電力状態であるスリープ状態とスリープ状態が解除される給電状態とを有し音声信号の送信、受信を行う無線部品と、音声を入力するマイクロフォンと前記無線部品の間に位置し入力した音声データを一時保存する音声データ蓄積装置と、前記マイクロフォンから直接前記無線部品に音声データの流れを形成し、さらに、前記マイクロフォンから前記音声データ蓄積装置を経由して前記無線部品に音声データの流れを形成するスイッチと、前記マイクロフォンから前記無線部品への音声入力に一定時間の無音状態の有無を検出する無音状態検出部と、前記無音状態検出部により一定時間の無音状態が検出された場合、前記無線部品を省電力状態のスリープ状態に遷移させる無線部品のスリープ状態遷移部と、前記無音状態検出部により一定時間の無音状態が検出された場合、前記スイッチを切り替えて前記マイクロフォンから前記音声データ蓄積装置を経由して前記無線部品に音声データの流れを形成させる第１のスイッチ切替部と、前記音声データ蓄積装置に一時保存された音声データに対して前記無線部品をスリープ状態から給電状態にする遷移時間分の音声データを圧縮し、前記無線部品に出力する音声データ圧縮・出力部と、前記マイクロフォンから前記音声データ蓄積部への音声入力を検出し、音声入力検出後前記遷移時間経過後に前記音声データ圧縮・出力部から圧縮された音声データを前記無線部品に出力させる音声入力検出部と、前記音声入力検出部により、前記マイクロフォンからの音声入力を検出した場合、前記無線部品をスリープ状態から給電状態にさせる無線部品の給電状態遷移部と、前記音声データ圧縮・出力部から圧縮された音声データが前記無線部品に出力された後に前記スイッチを切り替えて、前記マイクロフォンから直接前記無線部品に音声データの流れを形成させる第２のスイッチ切替部とを備えることを特徴とする音声入力装置を提供する。
【００１６】
さらに、前記音声データ圧縮・出力部は、前記音声データ蓄積装置に一時保存された音声データの間引きにより、前記遷移時間分の音声データを圧縮する。
さらに、前記音声データ圧縮・出力部は、前記音声データ蓄積装置に一時保存された音声データの処理速度を早め、前記遷移時間分の音声データを圧縮する。
さらに、前記音声データ蓄積装置では前記遷移時間分の音声データを一時保存し、ファストインファストアウトで前記無線部品に出力する音声データに対して、前記音声データ圧縮・出力部により圧縮される。
【００１７】
さらに、本発明は、入力音声の送信、受信を同時に行い、バッテリを電源として動作する携帯装置の音声入力装置において、前記バッテリからの給電が省電力状態であるスリープ状態とスリープ状態が解除される給電状態とを有し音声信号の送信、受信を行う無線部品と、音声を入力するマイクロフォンと前記無線部品の間に位置し入力した音声データに対して前記無線部品をスリープ状態から給電状態にする遷移時間分の音声データを一時保存し、ファストインファストアウトで前記無線部品に音声データを出力する音声データ蓄積装置と、前記音声データ蓄積装置から前記無線部品への音声入力に一定時間の無音状態の有無を検出する無音状態検出部と、前記無音状態検出部により一定時間の無音状態が検出された場合、前記無線部品を省電力状態のスリープ状態に遷移させる無線部品のスリープ状態遷移部と、前記マイクロフォンから前記音声データ蓄積部への音声入力を検出する音声入力検出部と、前記音声入力検出部により、前記マイクロフォンからの音声入力を検出した場合、前記無線部品をスリープ状態から給電状態にさせる無線部品の給電状態遷移部とを備えることを特徴とする音声入力装置を提供する。
【００１８】
さらに、本発明は、バッテリを電源として動作する携帯装置の音声入力方法において、前記バッテリから給電が省電力状態であるスリープ状態とスリープ状態が解除される給電状態とを有し送信、受信を行うための無線部品に対して、マイクロフォンからの音声入力に一定時間の無音状態の有無を検出する工程と、マイクロフォンから前記無線部品への音声入力に一定時間の無音状態の有無を検出する工程と、一定時間の無音状態が検出された場合、前記無線部品を省電力状態のスリープ状態に遷移させる工程と、一定時間の無音状態が検出された場合、前記マイクロフォンから音声データ蓄積装置を経由して前記無線部品に音声データの流れを形成させる工程と、前記マイクロフォンから前記音声データ蓄積部への音声入力を検出する工程と、前記マイクロフォンからの音声入力を検出した場合、前記無線部品をスリープ状態から給電状態にさせる工程と、前記マイクロフォンから入力した音声データを前記音声データ蓄積装置に一時保存する工程と、前記音声データ蓄積装置に一時保存された音声データに対して前記無線部品をスリープ状態から給電状態にする遷移時間分だけ音声データを圧縮し、前記無線部品に出力する工程と、圧縮された音声データが前記無線部品に出力された後に前記マイクロフォンから直接前記無線部品に音声データの流れを形成させる工程とを備えることを特徴とする音声入力方法を提供する。
【００１９】
さらに、本発明は、バッテリを電源として動作する携帯装置の音声入力をコンピュータで実行するプログラムにおいて、前記バッテリから給電が省電力状態であるスリープ状態とスリープ状態が解除される給電状態とを有し送信、受信を行うための無線部品に対して、マイクロフォンからの音声入力に一定時間の無音状態の有無を検出する手順と、マイクロフォンから前記無線部品への音声入力に一定時間の無音状態の有無を検出する手順と、一定時間の無音状態が検出された場合、前記無線部品を省電力状態のスリープ状態に遷移させる手順と、一定時間の無音状態が検出された場合、前記マイクロフォンから音声データ蓄積装置を経由して前記無線部品に音声データの流れを形成させる手順と、前記マイクロフォンから前記音声データ蓄積部への音声入力を検出する手順と、前記マイクロフォンからの音声入力を検出した場合、前記無線部品をスリープ状態から給電状態にさせる手順と、前記マイクロフォンから入力した音声データを前記音声データ蓄積装置に一時保存する手順と、前記音声データ蓄積装置に一時保存された音声データに対して前記無線部品をスリープ状態から給電状態にする遷移時間分だけ音声データを圧縮し、前記無線部品に出力する手順と、圧縮された音声データが前記無線部品に出力された後に前記マイクロフォンから直接前記無線部品に音声データの流れを形成させる手順とを備えることを特徴とする音声入力をコンピュータで実行するプログラムを提供する。
【００２０】
さらに、本発明は、バッテリを電源として動作する無線通信装置において、音声を入力するマイクロフォンと、前記バッテリからの給電が省電力状態であるスリープ状態とスリープ状態が解除される給電状態とを有し音声信号の送信、受信を行う無線部品と、前記マイクロフォンと前記無線部品の間に位置し入力した音声データを一時保存する音声データ蓄積装置と、前記マイクロフォンから直接前記無線部品に音声データの流れを形成し、さらに、前記マイクロフォンから前記音声データ蓄積装置を経由して前記無線部品に音声データの流れを形成するスイッチと、前記マイクロフォンから前記無線部品への音声入力に一定時間の無音状態の有無を検出する無音状態検出部と、前記無音状態検出部により一定時間の無音状態が検出された場合、前記無線部品を省電力状態のスリープ状態に遷移させる無線部品のスリープ状態遷移部と、前記無音状態検出部により一定時間の無音状態が検出された場合、前記スイッチを切り替えて前記マイクロフォンから前記音声データ蓄積装置を経由して前記無線部品に音声データの流れを形成させる第１のスイッチ切替部と、前記音声データ蓄積装置に一時保存された音声データに対して前記無線部品をスリープ状態から給電状態にする遷移時間分の音声データを圧縮し、前記無線部品に出力する音声データ圧縮・出力部と、前記マイクロフォンから前記音声データ蓄積部への音声入力を検出し、音声入力検出後前記遷移時間経過後に前記音声データ圧縮・出力部から圧縮された音声データを前記無線部品に出力させる音声入力検出部と、前記音声入力検出部により、前記マイクロフォンからの音声入力を検出した場合、前記無線部品をスリープ状態から給電状態にさせる無線部品の給電状態遷移部と、前記音声データ圧縮・出力部から圧縮された音声データが前記無線部品に出力された後に前記スイッチを切り替えて、前記マイクロフォンから直接前記無線部品に音声データの流れを形成させる第２のスイッチ切替部とを備えることを特徴とする無線通信装置を提供する。
【発明の効果】
【００２１】
以上説明したように、本発明によれば、マイクロフォンから無線部品への音声入力に一定時間の無音状態の有無を検出し、一定時間の無音状態が検出された場合、無線部品を省電力状態のスリープ状態に遷移させ、一定時間の無音状態が検出された場合、マイクロフォンから音声データ蓄積装置を経由して無線部品に音声データの流れを形成させ、マイクロフォンから音声データ蓄積部への音声入力を検出し、マイクロフォンからの音声入力を検出した場合、無線部品をスリープ状態から給電状態にさせ、マイクロフォンから入力した音声データを音声データ蓄積装置に一時保存し、音声データ蓄積装置に一時保存された音声データに対して無線部品をスリープ状態から給電状態にする遷移時間分だけ音声データを圧縮し、無線部品に出力し、圧縮された音声データが無線部品に出力された後にマイクロフォンから直接無線部品に音声データの流れを形成させるようにしたので、利用者が入力した音声のデータの先頭が送信されず、欠落し、取りこぼされるのを防止することが可能になった。
【発明を実施するための最良の形態】
【００２２】
以下、本発明の実施の形態について図面を参照して説明する。
図１は本発明に係る無線通信装置の概略構成を示すブロック図である。本発明の無線通信装置１００はバッテリを電源として動作する携帯電話機又は携帯無線機であり、消費電力を低減するため無線部品がスリープ状態の場合でも入力音声を取りこぼさず、通信相手に伝送することをプログラム制御で実行する。
【００２３】
本図に示すように、無線通信装置１００には無線部品２００が設けられ、無線部品２００は図示しないアンテナに接続され、アンテナを介して音声信号を送信し受信する。
さらに、無線通信装置１００には音声データ蓄積装置４００が設けられ、音声データ蓄積装置４００はマイクロフォン３００から入力した音声データを一時保存する。
無線部品２００にはスイッチ５０１、スイッチ５０２を介してマイクロフォン３００に接続され、スイッチ５０１、５０２が通常状態での音声データの流れＡ）を形成した場合、マイクロフォン３００は音声を入力し、通常状態での音声データの流れＡ）で無線部品２００に出力する。
【００２４】
無線部品２００には無音状態検出部２０１が設けられ、無音状態検出部２０１はマイクロフォン３００から入力した音声に一定時間継続する無音状態を検出する。
さらに、無線部品２００にはスイッチ切替部２０２が設けられ、スイッチ切替部２０２は無音状態検出部２０１により無音状態が検出された場合にスイッチ５０１、５０２を切り替えて、スイッチ５０１、５０２が、操作待ち受け状態で音声が入力された際の音声データの流れＢ−１）と一時保存された音声データの流れＢ−２）を形成した場合、音声データ蓄積装置４００は、操作待ち受け状態で音声が入力された際の音声データの流れＢ−１）で音声データを一時保存し、一時保存された音声データの流れＢ−２）で無線部品２００に後述する圧縮された音声データを出力する。
【００２５】
さらに、無線部品２００には無線部品のスリープ状態遷移部２０３が設けられ、無線部品のスリープ状態遷移部２０３は、図示しないバッテリから無線部品２００への給電を省電力状態のスリープ状態に遷移させる。
【００２６】
音声データ蓄積装置４００には音声入力検出部４０１が設けられ、音声入力検出部４０１はマイクロフォン３００から音声の入力を検出し、音声入力を検出した場合には入力した音声データを音声データ蓄積装置４００に一時保存させる。
さらに、音声データ蓄積装置４００には無線部品の給電状態遷移部４０２が設けられ、無線部品の給電状態遷移部４０２は、音声入力検出部４０１による音声入力の検出後、図示しないバッテリから無線部品２００へのスリープ状態を給電状態に遷移させる。
【００２７】
さらに、音声データ蓄積装置４００には音声データ圧縮部・出力部４０３が設けられ、音声データ圧縮・出力部４０３は音声データ蓄積装置４００に一時保存された音声データに対して、無線部品２００のスリープ状態から給電状態に遷移させる遷移時間分だけ圧縮処理し、音声入力検出部４０１により音声入力を検出してから遷移時間経過後に遅延させて圧縮処理した音声データを無線部品２００に出力する。なお、無線部品２００の遷移時間は予め測定されており、さらに、音声データを圧縮する程度も音声の品質からあらかじめ設定される。
【００２８】
この場合、無線部品２００は音声データ蓄積装置４００の音声データ圧縮部４０２により給電状態に遷移され、音声データ圧縮部４０２で圧縮処理された音声データを送信する。
さらに、音声データ蓄積装置４００にはスイッチ切替部４０４が設けられ、スイッチ切替部４０４は圧縮した音声データを出力後にスイッチ５０１、５０２を切り替えて、マイクロフォン３００から入力した音声データを直接無線部品２００に出力し、圧縮された音声データに連続させる。
【００２９】
この場合、無線部品２００はマイクロフォン３００から入力した音声データを圧縮された音声データに連続して送信する。
図２は図１における音声データ蓄積装置４００の音声データ圧縮・出力部４０３の音声データ圧縮を説明する図である。本図（ａ）に示すように、音声データ蓄積装置４００では、マイクロフォン３００からスイッチ５０１を介した音声データを一時保存し、本図（ｂ）に示すように、音声データ圧縮・出力部４０３では、音声データ蓄積装置４００に一時保存された音声データに対して等間隔で音声データを間引き、本図（ｃ）に示すように、音声データに対して遷移時間分の音声データを間引き、間引いた跡に次ぎに入力する音声データで詰め、遷移時間分の圧縮を行う。
【００３０】
この場合、音声データの間引きは、音声の品質が劣化しないように行われる。例えば、遷移時間が０．２秒の場合には、遷移時間の１０倍の２秒分の音声データを音声データ蓄積装置４００に一時保存し、一時保存された音声データに対して、音声データ圧縮・出力部４０３の音声データの間引き処理では、１０個の音声データ毎に１個の音声データを間引くようにしてもよい。
【００３１】
図３は図２における音声データ圧縮・出力部４０３による圧縮された音声データを出力する例を説明する図である。本図（ａ）に示すように、一例として、音声データ圧縮・出力部４０３にはマイクロフォン３００から音声が入力し、スイッチ５０１を経由して、「こんにちは  きょうの」という音声データが２秒分だけ音声データ蓄積装置４００に一時保存されているとする。
【００３２】
本図(ｂ)に示すように、遷移時間を前述と同様に、０．２秒とし、音声データ圧縮・出力部４０３では、音声データの間引きにより、音声データ蓄積装置４００に一時保存されている音声データを１．８秒分の音声データに圧縮し、音声入力検出部４０１の音声検出後、遷移時間（０．２秒）経過後に圧縮された音声データを、スイッチ５０２を介して、無線部品２００に出力する。
【００３３】
図４は無線部品２００に入力する音声データ例を説明する図である。本図（ａ）に示すように、マイクロフォン３００に「こんにちは  きょうのかいぎはちゅうしです」との音声が入力した場合、音声入力の開始から遷移時間経過後に無線部品２００では、音声データ圧縮・出力部４０３から「こんにちは  きょうの」との圧縮された音声データが入力し、その直後に、マイクロフォン３００から「かいぎはちゅうしです」との音声データが入力する。
【００３４】
図５は図１における無線通信装置１００の一連の動作を説明するフローチャートである。本図に示すように、ステップ５０１において、無線部品２００の無音状態検出部２０１ではスイッチ５０１、５０２を介して、マイクロフォン３００の入力音声に対して一定時間、例えば、１分間の無音状態の有無を検出し、無音状態を検出しない場合にはステップ５１２に進む。
【００３５】
ステップ５０２において、無音状態を検出した場合には、スイッチ切替部２０２はスイッチ５０１、５０２を切り替えて、マイクロフォン３００、音声データ蓄積装置４００、無線部品２００の接続を行う。
なお、スイッチ５０１、５０２では、無線通信装置１００の電源投入時の初期状態として、マイクロフォン３００と無線部品２００とが直接接続されているとする。
【００３６】
ステップ５０３において、無線部品のスリープ状態遷移部２０３は無線部品２００をスリープ状態にする。
ステップ５０４において、音声入力検出部４０１では無音状態になったマイクロフォン３００の音声入力を検出するのを待つ。
ステップ５０５において、音声入力検出部４０１ではマイクロフォン３００の音声入力を検出すると、無線部品の給電状態遷移部４０２はスリープ状態の無線部品２００を給電状態にする。この場合、無線部品２００がスリープ状態である間、消費電力を低減することが可能になる。
【００３７】
ステップ５０６において、音声データ蓄積装置４００ではマイクロフォン３００からの音声データを一時保存する。
ステップ５０７において、音声データ圧縮・出力部４０３では音声データ蓄積装置４００に一時保存された音声データを遷移時間分だけ間引き、音声データの圧縮を行う。
ステップ５０８において、音声入力検出部４０１の音声入力検出から遷移時間だけ経過したか否かを判断する。遷移時間を経過していない場合にはステップ５０６に戻り、以上の処理を繰り返す。
【００３８】
ステップ５０９において、遷移時間を経過した場合には、音声データ圧縮・出力部４０３から無線部品２００に圧縮された音声データを出力する。無線部品２００では給電状態になっているので、音声データ圧縮・出力部４０３から圧縮された音声データを入力し送信を行う。
ステップ５１０において、音声データ圧縮・出力部４０３では圧縮された音声データを全て送信したか否かを判断する。全て送信していない場合には、ステップ５０６に戻り、以上の処理を繰り返す。
【００３９】
ステップ５１１において、音声データ圧縮・出力部４０３では全ての圧縮された音声データを出力したと判断した場合には、スイッチ５０１、５０２を切り替えて、マイクロフォン３００と無線部品２００の直接接続を行う。
ステップ５１２において、マイクロフォン３００から無線部品２００に音声データを出力し、処理を終了する。
【００４０】
したがって、本発明によれば、容量が有限なバッテリを電源として動作する無線通信装置１００では、無線通信装置１００の駆動時間を延長するために、操作待ち受け状態時に無線部品２００をスリープ状態にして無線部品２００への給電を低減し、操作待ち受け状態における音声入力を音声データ蓄積装置４００に一時的に保存し、無線部品２００が通常状態に戻る際に状態遷移が必要な場合でも、利用者が入力した音声データの先頭を欠落させず通話が可能になり、さらに、音声データ蓄積装置４００に保存された音声データを圧縮して送信すべき音声データの遅延を回復しつつ、マイクロフォン３００からの音声データにつなげるバッファリング機能を持たせることが可能になる。
【実施例１】
【００４１】
図２の説明では、音声データ蓄積装置４００には、一例として、遷移時間０．２秒の１０倍の２秒分の音声データを一時保存させたが、遷移時間０．２秒分の音声データを一時保存し、ファーストインファーストアウト（ＦＩＦＯ）で無線部品２００に音声データを出力する。
この場合、音声データ圧縮・出力部４０３では、図２で説明したと同様に、音声データの間引き処理では、１０個の音声データ毎に１個の割合で音声データを間引き、間引いた跡を次ぎに入力する音声データで詰め、音声データを圧縮する。
これにより、音声データ蓄積装置４００の容量を小さくできる。
【実施例２】
【００４２】
図６は図２の音声データ圧縮・出力部４０３の圧縮の変形例を説明する図である。本図（ａ）に示すように、音声データ蓄積装置４００にはマイクロフォン３００からの音声データが一時保存される。一時保存される音声データは２秒分とし、この場合、音声データの処理速度を「Ｖ」とする。２秒分とは、前述したように、遷移時間を０．２秒として、その１０倍である。
【００４３】
本図(ｂ)に示すように、音声データ圧縮・出力部４０３では、音声データ蓄積装置４００に一時保存された音声データの間隔を詰め、処理速度を「１．１Ｖ」として無線部品２００に出力し送信させる。この場合、処理速度が変化した音声データに対して無線部品２００の送信が可能とし、さらに、受信相手も受信が可能とする。
このようにして、処理速度を「１．１Ｖ」として、一時保存される２秒分の音声データは１．８秒に圧縮可能になる。
【実施例３】
【００４４】
図６の説明では、音声データ蓄積装置４００には、一例として、遷移時間０．２秒の１０倍の２秒分の音声データを一時保存させたが、遷移時間０．２秒分の音声データを一時保存し、ファーストインファーストアウト（ＦＩＦＯ）で無線部品２００に音声データを出力する。
この場合、音声データ圧縮・出力部４０３では、図６で説明したと同様に、音声データ蓄積装置４００に一時保存された音声データの間隔を詰め、処理速度を「１．１Ｖ」として無線部品２００に出力する。
これにより、音声データ蓄積装置４００の容量を小さくできる。
【実施例４】
【００４５】
図７は図１の変形例であり、無線通信装置の概略構成を示すブロック図である。本図に示すように、図１と比較して、音声データ蓄積装置４００がマイクロフォン３００と無線部品２００の間に設けられる。音声データ蓄積装置４００はマイクロフォン３００からの音声データを遷移時間分だけ一時保存し、遷移時間分だけ一時保存した音声データをファーストインファーストアウト（ＦＩＦＯ）で無線部品２００に出力する。
【００４６】
無線部品２００には無音状態検出部２０１が設けられ、無音状態検出部２０１はマイクロフォン３００から入力した音声に一定時間継続する無音状態を検出する。
さらに、無線部品２００には無線部品のスリープ状態遷移部２０３が設けられ、無線部品のスリープ状態遷移部２０３は、図示しないバッテリから無線部品２００への給電を省電力状態のスリープ状態に遷移させる。
【００４７】
音声データ蓄積装置４００には音声入力検出部４０１が設けられ、音声入力検出部４０１はマイクロフォン３００から音声の入力を検出し、音声入力を検出した場合には入力した音声データを音声データ蓄積装置４００に一時保存させる。
さらに、音声データ蓄積装置４００には無線部品の給電状態遷移部４０２が設けられ、無線部品の給電状態遷移部４０４は、音声入力検出部４０１による音声入力の検出後、図示しないバッテリから無線部品２００へのスリープ状態を給電状態に遷移させる。
【００４８】
したがって、本発明によれば、無線部品２００への音声データに無音状態が一定時間継続すると、無線部品２００がスリープ状態となり、消費電力を低減でき、無線部品２００がスリープ状態の場合に音声入力が検出されると、無線部品２００が給電状態となり、音声データ蓄積装置４００には音声データが遷移時間分だけ一時保存され、無線部品２００に出力される。このため、利用者が入力した音声データの先頭を欠落させず通話が可能になるバッファリング機能を持たせることが可能になる。
【００４９】
この場合、送信される音声データは遷移時間分だけ遅延されるが、遷移時間が短く、例えば、遷移時間が０．１秒程度で、遅延が小さく、遅延が音質の劣化にならない場合には構成が簡単で本発明は有効である。
【産業上の利用可能性】
【００５０】
以上、携帯電話機、携帯無線機について説明を行ったが、これらに限らず、ＰＤＡ（携帯情報端末）、ＰＨＳ（簡易携帯電話機）にも本発明の利用が可能である。
【図面の簡単な説明】
【００５１】
【図１】本発明に係る無線通信装置の概略構成を示すブロック図である。
【図２】図１における音声データ蓄積装置４００の音声データ圧縮・出力部４０３の音声データ圧縮を説明する図である。
【図３】図２における音声データ圧縮・出力部４０３による圧縮された音声データを出力する例を説明する図である。
【図４】無線部品２００に入力する音声データ例を説明する図である。
【図５】図１における無線通信装置１００の一連の動作を説明するフローチャートである。
【図６】図２の音声データ圧縮・出力部４０３の圧縮の変形例を説明する図である。
【図７】図１の変形例であり、無線通信装置の概略構成を示すブロック図である。
【図８】本発明の前提となる無線通信装置の消費電力の低減を説明する図である。
【図９】会話相手が言葉の先頭を聞けない状況例を説明する図である。
【符号の説明】
【００５２】
１００…無線通信装置
２００…無線部品
２０１…無音状態検出部
２０２…スイッチ切替部
２０３…無線部品のスリープ状態遷移部
３００…マイクロフォン
４００…音声データ蓄積装置
４０１…音声入力検出部
４０２…無線部品の給電状態遷移部
４０３…音声データ圧縮・出力部
４０４…スイッチ切替部
５０１、５０２…スイッチ
【図１】
0004835911.tif 000002
【図２】
0004835911.tif 000003
【図３】
0004835911.tif 000004
【図４】
0004835911.tif 000005
【図５】
0004835911.tif 000006
【図６】
0004835911.tif 000007
【図７】
0004835911.tif 000008
【図８】
0004835911.tif 000009
【図９】
0004835911.tif 000010